(57)【要約】【課題】適切なタイミングでユーザに充電を実施させることが可能な携帯通信端末を提供する。【解決手段】携帯通信端末１では、就寝前である可能性が高いとされる事象がユーザ状態情報取得部２により検出され、検出された事象に基づき、ユーザ状態判定部３によりユーザが就寝前の状態であるか否かが判定される。これにより、充電の実施に適切なタイミングであるか否かが判定されることとなる。そして、ユーザが就寝前であると判定された場合において、電池状態検知部４により電源の電力残量が所定値以下であると判定された場合に、出力制御部５によりユーザに対して充電操作を促すための通知が実施されるので、適切なタイミングでユーザに充電を実施させることが可能となる。【選択図】図１
2011211601.tif 000002
【特許請求の範囲】
【請求項１】
予め設定された所定の事象を検出することにより、ユーザが就寝前の状態にある可能性が高いか否かを判定するユーザ状態判定手段と、
前記ユーザ状態判定手段により前記ユーザが就寝前の状態にある可能性が高いと判定された場合に、電源の電力残量を検知する電池状態検知手段と、
前記電池状態検知手段に検出された電池残量が予め設定された所定値以下である場合に、前記ユーザに充電操作を促すための通知を実施する出力制御手段と
を備えることを特徴とする携帯通信端末。
【請求項２】
就寝前のユーザが送信メール又は音声通話において用いる可能性の高い所定のワードを予め記憶している就寝前ワード記憶手段を更に備え、
前記ユーザ状態判定手段は、送信メール又は音声通話内容に、前記就寝前ワード記憶手段に記憶されている前記所定のワードが含まれている場合に、前記ユーザが就寝前の状態にある可能性が高いと判定する
ことを特徴とする請求項１に記載の携帯通信端末。
【請求項３】
ユーザが前記携帯通信端末を操作する際に、前記ユーザにおける前記携帯通信端末に触れた部分の湿度を検出する湿度検出手段と、
前記ユーザ状態判定手段は、前記湿度検出手段により検出された前記湿度が予め設定された所定値以上である場合に、前記ユーザが就寝前の状態にある可能性が高いと判定する
ことを特徴とする請求項１または２に記載の携帯通信端末。
【請求項４】
前記携帯通信端末の周辺の照度を測定するための照度検出手段を更に備え、
前記ユーザ状態判定手段により前記ユーザが就寝前の状態にある可能性が高いと判定された場合に、前記照度検出手段は、照度の測定機能をＯＦＦの状態からＯＮの状態に変更し、
前記ユーザ状態判定手段は、前記照度検出手段により測定された前記照度が予め設定された所定値以下である場合に、前記ユーザが就寝前の状態であると判定する
ことを特徴とする請求項２〜３のいずれか１項に記載の携帯通信端末。
【請求項５】
前記携帯通信端末の周辺で発生する音を集音するための集音手段を更に備え、
前記ユーザ状態判定手段により前記ユーザが就寝前の状態にある可能性が高いと判定された場合に、前記集音手段は、集音の機能をＯＦＦの状態からＯＮの状態に変更し、
前記ユーザ状態判定手段は、前記集音手段により集音された音の音量が予め設定された所定値以下である場合に、前記ユーザが就寝前の状態であると判定する
ことを特徴とする請求項２〜４のいずれか１項に記載の携帯通信端末。
【請求項６】
携帯通信端末において、当該携帯通信端末のユーザに充電の操作を促すために充電タイミングを通知する充電タイミング通知方法であって、
予め設定された所定の事象を検出することにより、ユーザが就寝前の状態にある可能性が高いか否かを判定するユーザ状態判定ステップと、
前記ユーザ状態判定ステップにおいて前記ユーザが就寝前の状態にある可能性が高いと判定された場合に、電源の電力残量を検知する電池状態検知ステップと、
前記電池状態検出ステップにおいて検出された電池残量が予め設定された所定値以下である場合に、前記ユーザに充電操作を促すための通知を実施する出力制御ステップと
を備えることを特徴とする充電タイミング通知方法。
【発明の詳細な説明】
【技術分野】
【０００１】
本発明は、携帯通信端末及び充電タイミング通知方法に関する。
【背景技術】
【０００２】
携帯通信端末において、電池の電力残量が少なくなった状態を検知し、その後における当該携帯通信端末の使用方法をユーザに案内する技術が知られている。また、ユーザによる携帯通信端末の利用状況に基づき充電を行うべき時刻を推定し、当該時刻においてユーザに携帯通信端末の充電を促すといった機能を有する携帯通信端末が知られている（例えば、特許文献１参照）。
【先行技術文献】
【特許文献】
【０００３】
【特許文献１】特開２００９−１２４４６６号公報
【発明の概要】
【発明が解決しようとする課題】
【０００４】
しかしながら、特許文献１に記載された携帯通信端末では、ユーザの日々の利用状況に基づき充電すべき時刻を推定しているので、利用状態が通常と異なった場合には、充電を促す時刻が適切な時刻とならない可能性がある。また、充電すべき時刻を通知された場合であっても、その携帯通信端末を利用中である場合には、充電の実施が困難である。
【０００５】
そこで、本発明は、上記問題点に鑑みてなされたものであり、適切なタイミングでユーザに充電を実施させることが可能な携帯通信端末を提供することを目的とする。
【課題を解決するための手段】
【０００６】
上記課題を解決するために、本発明の携帯通信端末は、予め設定された所定の事象を検出することにより、ユーザが就寝前の状態にある可能性が高いか否かを判定するユーザ状態判定手段と、ユーザ状態判定手段によりユーザが就寝前の状態にある可能性が高いと判定された場合に、電源の電力残量を検知する電池状態検知手段と、電池状態検知手段に検出された電池残量が予め設定された所定値以下である場合に、ユーザに充電操作を促すための通知を実施する出力制御手段とを備えることを特徴とする。
【０００７】
また、上記課題を解決するために、本発明の充電タイミング通知方法は、携帯通信端末において、当該携帯通信端末のユーザに充電の操作を促すために充電タイミングを通知する充電タイミング通知方法であって、予め設定された所定の事象を検出することにより、ユーザが就寝前の状態にある可能性が高いか否かを判定するユーザ状態判定ステップと、ユーザ状態判定ステップにおいてユーザが就寝前の状態にある可能性が高いと判定された場合に、電源の電力残量を検知する電池状態検知ステップと、電池状態検出ステップにおいて検出された電池残量が予め設定された所定値以下である場合に、ユーザに充電操作を促すための通知を実施する出力制御ステップとを備えることを特徴とする。
【０００８】
携帯通信端末の充電を行うタイミングとしては、当該携帯通信端末を利用していない就寝中が適切である。本発明の携帯通信端末及び充電タイミング通知方法によれば、就寝前である可能性が高いとされる事象を検出することにより、ユーザが就寝前の状態にある可能性が高いか否かが判定される。これにより、充電の実施に適切なタイミングであるか否かが判定される。そして、ユーザが就寝前の状態にある可能性が高いと判定された場合において、電源の電力残量が所定値以下である場合に、ユーザに対して充電操作を促すための通知が実施されるので、適切なタイミングでユーザに充電を実施させることが可能となる。
【０００９】
また、本発明の携帯通信端末は、就寝前のユーザが送信メール又は音声通話において用いる可能性の高い所定のワードを予め記憶している就寝前ワード記憶手段を更に備え、ユーザ状態判定手段は、送信メール又は音声通話内容に、就寝前ワード記憶手段に記憶されている所定のワードが含まれている場合に、ユーザが就寝前の状態にある可能性が高いと判定することを特徴とする。
【００１０】
この場合には、ユーザからの送信メール又は音声通話内容に、就寝前に用いられる可能性が高いワードが含まれていた場合に、ユーザが就寝前の状態にある可能性が高いと判定されるので、適切にユーザの就寝前の状態を検出することができる。かかる検出結果に基づき、ユーザに充電操作を促すための通知が実施されるので、適切なタイミングでの充電が確実に実施される。
【００１１】
また、本発明の携帯通信端末は、ユーザが携帯通信端末を操作する際に、ユーザにおける携帯通信端末に触れた部分の湿度を検出する湿度検出手段と、ユーザ状態判定手段は、湿度検出手段により検出された湿度が予め設定された所定値以上である場合に、ユーザが就寝前の状態にある可能性が高いと判定することを特徴とする。
【００１２】
ユーザが携帯通信端末を操作した際に、ユーザにおける携帯通信端末に触れた部分の湿度が高い場合には、当該ユーザは入浴後の状態にある可能性が高い。一般的に、夜に入浴を行う人は多い。本発明の構成によれば、ユーザにおける携帯通信端末に触れた部分の湿度が高い場合に、ユーザが就寝前の状態にある可能性が高いと判定されるので、適切にユーザの就寝前の状態を検出することができる。かかる検出結果に基づき、ユーザに充電操作を促すための通知が実施されるので、適切なタイミングでの充電が確実に実施される。
【００１３】
また、本発明の携帯通信端末は、携帯通信端末の周辺の照度を測定するための照度検出手段を更に備え、ユーザ状態判定手段によりユーザが就寝前の状態にある可能性が高いと判定された場合に、照度検出手段は、照度の測定機能をＯＦＦの状態からＯＮの状態に変更し、ユーザ状態判定手段は、照度検出手段により測定された照度が予め設定された所定値以下である場合に、ユーザが就寝前の状態であると判定することを特徴とする。
【００１４】
就寝前において、ユーザは、消灯等することにより、室内の照度を低くする可能性が高い。本発明の構成によれば、ユーザが就寝前の状態にある可能性が高いと判定された場合において、照度が所定値以下となった場合に、ユーザが就寝前の状態であると判定されるので、ユーザが就寝前の状態にあることを精度良く判定することが可能となる。また、ユーザが就寝前の状態であると判定されたときに照度検出手段における照度の測定機能がＯＮの状態に変更されるので、照度検出手段における消費電力の節約が可能となる。
【００１５】
また、本発明の携帯通信端末は、携帯通信端末の周辺で発生する音を集音するための集音手段を更に備え、ユーザ状態判定手段によりユーザが就寝前の状態にある可能性が高いと判定された場合に、集音手段は、集音の機能をＯＦＦの状態からＯＮの状態に変更し、ユーザ状態判定手段は、集音手段により集音された音の音量が予め設定された所定値以下である場合に、ユーザが就寝前の状態であると判定することを特徴とする。
【００１６】
就寝前において、ユーザは、例えばテレビ等のスイッチをオフにすることにより、室内において音を発生し得る物の状態を、音を発生しない状態にする可能性が高い。本発明の構成によれば、集音された音の音量が所定値以下となった場合に、ユーザが就寝前の状態にある可能性が高いと判定された場合において、ユーザが就寝前の状態にあることを精度良く判定することが可能となる。また、ユーザが就寝前の状態であると判定されたときに集音手段における集音機能がＯＮの状態に変更されるので、集音手段における消費電力の節約が可能となる。
【発明の効果】
【００１７】
本発明の携帯通信端末では、適切なタイミングでユーザに充電を実施させることが可能となる。
【図面の簡単な説明】
【００１８】
【図１】携帯通信端末の機能的構成を示すブロック図である。
【図２】携帯通信端末のハードブロック図である。
【図３】就寝前ワード記憶部の構成及び記憶されているデータの例を示す図である。
【図４】携帯通信端末において実施される充電のタイミングをユーザに通知する処理の処理内容を示すタイミングチャートである。
【発明を実施するための形態】
【００１９】
本発明に係る携帯通信端末の実施形態について図面を参照して説明する。なお、可能な場合には、同一の部分には同一の符号を付して、重複する説明を省略する。
【００２０】
図１は、携帯通信端末１の機能的構成を示すブロック図である。本実施形態の携帯通信端末１は、適切な充電のタイミングをユーザに通知する機能を有する。
【００２１】
携帯通信端末１は、機能的には、ユーザ状態情報取得部２、ユーザ状態判定部３（ユーザ状態判定手段）、電池状態検知部４（電池状態検知手段）、出力制御部５（出力制御手段）及び出力部６を備える。
【００２２】
図２は、携帯通信端末１のハードウエア構成図である。携帯通信端末１は、物理的には、図２に示すように、ＣＰＵ１０１、主記憶装置であるＲＡＭ１０２及びＲＯＭ１０３、ネットワークカード等のデータ送受信デバイスである通信モジュール１０４、ハードディスク、フラッシュメモリ等の補助記憶装置１０５、入力デバイスであるキースイッチ等の入力装置１０６、ディスプレイ等の出力装置１０７などを含むコンピュータシステムとして構成されている。図１に示した各機能は、図２に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び、図１を参照し、携帯通信端末１の各機能部について詳細に説明する。
【００２３】
ユーザ状態情報取得部２は、メール作成部２０、通話用マイク２１、湿度センサ２２（湿度検出手段）、集音マイク２３（集音手段）及び照度センサ２４（照度検出手段）を備える。
【００２４】
メール作成部２０は、ユーザによるキー入力に従ってテキストデータを含む送信メールを作成する部分である。携帯通信端末１は、メール作成部２０により作成された送信メールを、通信モジュール１０４を介して相手方に送信する。メール作成部２０は、作成した送信メールをユーザ状態判定部３のメール解析部３０に送出する。
【００２５】
通話用マイク２１は、ユーザの通話音声を取得する装置である。通話用マイク２１は、音声通話の音声データを、ユーザ状態判定部３の通話解析部３１に送出する。
【００２６】
湿度センサ２２は、ユーザが携帯通信端末１を操作する際に、ユーザにおける携帯通信端末１に触れた部分の湿度を検出する装置であり、例えば、携帯通信端末１のキー部分に設けられる。湿度センサ２２は、検出した湿度に関する情報を、ユーザ状態判定部３の湿度検知部３２に送出する。
【００２７】
集音マイク２３は、携帯通信端末１の周辺で発生する音を集音するための装置である。集音マイク２３は、集音した音のデータを、ユーザ状態判定部３の音検知部３３に送出する。
【００２８】
照度センサ２４は、携帯通信端末１の周辺の明るさを測定するための装置である。照度センサ２４は、測定した照度に関する情報を、ユーザ状態判定部３の照度判定部３４に送出する。
【００２９】
ユーザ状態判定部３は、予め設定された所定の事象を検出することにより、ユーザが就寝前の状態であるか否かをユーザ状態として判定し、判定結果を電池状態検知部４に送出する部分である。ユーザ状態判定部３は、メール解析部３０、通話解析部３１、湿度検知部３２、音検知部３３、照度判定部３４及び就寝前ワード記憶部３５（就寝前ワード記憶手段）を備える。
【００３０】
メール解析部３０は、メール作成部２０から取得した送信メールに、就寝前ワード記憶部３５に記憶されている所定のワードが含まれている場合に、ユーザが就寝前の状態であると判定する部分である。メール解析部３０は、判定結果を電池状態検知部４に送出する。
【００３１】
通話解析部３１は、通話用マイク２１から取得した音声通話の音声データに、就寝前ワード記憶部３５に記憶されている所定のワードが含まれている場合に、ユーザが就寝前の状態であると判定する部分である。通話解析部３１は、判定結果を電池状態検知部４に送出する。
【００３２】
湿度検知部３２は、湿度センサ２２から取得した情報に基づき、ユーザにおける携帯通信端末１に触れた部分の湿度が予め設定された所定値以上である場合に、ユーザが就寝前の状態であると判定する部分である。湿度検知部３２は、判定結果を電池状態検知部４に送出する。
【００３３】
音検知部３３は、集音マイク２３により集音された音の音量が予め設定された所定値以下である場合に、ユーザが就寝前の状態であると判定する部分である。音検知部３３は、判定結果を電池状態検知部４に送出する。
【００３４】
照度判定部３４は、照度センサ２４により測定された照度が予め設定された所定値以下である場合に、ユーザが就寝前の状態であると判定する部分である。照度判定部３４は、判定結果を電池状態検知部４に送出する。
【００３５】
就寝前ワード記憶部３５は、就寝前の状態にあるユーザが送信メール及び音声通話において用いる可能性の高いワードを予め記憶している記憶手段である。図３は、就寝前ワード記憶部３５の構成及び記憶されているデータの例を示す図である。図３に示すように、就寝前ワード記憶部３５は、メール及び通話音声といった解析対象ごとに抽出対象及び就寝前ワードを対応付けて記憶している。解析対象がメールである場合には、抽出対象は、送信メールのデータ中におけるタイトル、本文及び絵文字等である。また、就寝前ワードは、例えば、「おやすみ」、「Ｇｏｏｄ  ｎｉｇｈｔ」及び「おやすみなさい」等の語句である。解析対象が通話音声である場合には、抽出対象は、通話音声を認識処理したテキストデータである。この場合の就寝前ワードは、例えば、「おやすみ」、「Ｇｏｏｄ  ｎｉｇｈｔ」及び「おやすみなさい」等の語句である。
【００３６】
電池状態検知部４は、ユーザ状態判定部３によりユーザが就寝前であると判定された場合に、電源の電力残量を検知する部分である。電池状態検知部４は、充電状態検知部４１及び電池残量検知部４２を備える。
【００３７】
充電状態検知部４１は、携帯通信端末１が充電中の状態にあるか否かを検出する部分である。電池残量検知部４２は、携帯通信端末１の電源の電力残量を検出する部分である。電池状態検知部４は、充電状態検知部４１及び電池残量検知部４２による検出結果を出力制御部５に送出する。
【００３８】
出力制御部５は、電池状態検知部４に検出された電池残量が予め設定された所定値以下である場合に、ユーザに充電操作を促すための通知を実施する部分である。具体的には、出力制御部５は、充電状態検知部４１により携帯通信端末１が充電中の状態ではないと判定され、且つ電池残量検知部４２により電力残量が予め設定された所定値以下である場合に、ユーザに充電操作を促すための通知を出力部６に実施させる。
【００３９】
出力部６は、ユーザに充電操作を促すための通知を実施する部分である。出力部６は、ディスプレイ部６０、スピーカ部６１、ＬＥＤ部６２及びバイブレーション部６３を備える。
【００４０】
ディスプレイ部６０は、ユーザに充電操作を促すためのメッセージを含むダイアログを表示することにより、ユーザに対する通知を実施する。
【００４１】
スピーカ部６１は、ユーザに充電操作を促すための音や、メッセージ音声を出力することにより、ユーザに対する通知を実施する。
【００４２】
ＬＥＤ部６２は、点灯することにより、ユーザに充電を促すための通知を実施する。
【００４３】
バイブレーション部６３は、携帯通信端末１を振動させることにより、ユーザに充電を促すための通知を実施する。
【００４４】
なお、出力部６は、ディスプレイ部６０、スピーカ部６１、ＬＥＤ部６２及びバイブレーション部６３のうちの１つを用いてユーザに対する通知を実施することとしてもよいし、ディスプレイ部６０、スピーカ部６１、ＬＥＤ部６２及びバイブレーション部６３のうちの複数を用いてユーザに対する通知を実施することとしてもよい。
【００４５】
続いて、図４を参照して、本実施形態の充電タイミング通知方法における携帯通信端末１の動作について説明する。図４は、携帯通信端末１において実施される処理内容を示すタイミングチャートである。
【００４６】
まず、ステップＳ１において、ユーザ状態判定部３の通話解析部３１は、携帯通信端末１においてユーザによる音声通話が行われたか否かを判定する。音声通話が行われたと判定された場合には、処理手順はステップＳ２に進められる。一方、音声通話が行われたと判定されなかった場合には、処理手順はステップＳ３に進められる。
【００４７】
ステップＳ２において、通話解析部３１は、通話用マイク２１からの通話音声を取得すると共に、通話音声に就寝前ワード記憶部３５に記憶されている所定のワードが含まれているか否かを判定する。通話音声に所定のワードが含まれていると判定された場合には、処理手順はステップＳ６に進められる。一方、通話音声に所定のワードが含まれていると判定されなかった場合には、処理手順はステップＳ３に進められる。ユーザの音声通話内容に就寝前に用いられる可能性が高いワードが含まれていた場合には、ユーザが就寝前の状態にある可能性が高いので、ステップＳ２の処理により、適切にユーザの就寝前の状態を検出することができる。
【００４８】
ステップＳ３において、ユーザ状態判定部３のメール解析部３０は、携帯通信端末１においてユーザによるメールの送信が行われたか否かを判定する。メールの送信が行われ、送信メールが存在する場合には、処理手順はステップＳ４に進められる。一方、メールの送信が行われたと判定されなかった場合には、処理手順はステップＳ５に進められる。
【００４９】
ステップＳ４において、メール解析部３０は、送信メールをメール作成部２０から取得すると共に、送信メール中に就寝前ワード記憶部３５に記憶されている所定のワードが含まれているか否かを判定する。送信メールに所定のワードが含まれていると判定された場合には、処理手順はステップＳ６に進められる。一方、送信メールに所定のワードが含まれていると判定されなかった場合には、処理手順はステップＳ５に進められる。ユーザからの送信メールに就寝前に用いられる可能性が高いワードが含まれていた場合には、ユーザが就寝前の状態にある可能性が高いので、ステップＳ４の処理により、適切にユーザの就寝前の状態を検出することができる。
【００５０】
ステップＳ５において、ユーザ状態判定部３の湿度検知部３２は、湿度センサ２２により検出された湿度が予め設定された所定値以上であるか否かを判定することにより、ユーザが入浴後の状態である可能性が高いか否かを判定する。湿度が所定値以上であると判定された場合には、処理手順はステップＳ６に進められる。一方、湿度が所定値以上であると判定されなかった場合には、処理手順はステップＳ１に戻る。
【００５１】
ユーザが携帯通信端末１を操作した際に、ユーザにおける携帯通信端末１に触れた部分の湿度が高い場合には、当該ユーザは入浴後の状態にある可能性が高い。一般的に、夜に入浴を行う人は多い。ステップＳ５の処理によれば、ユーザにおける携帯通信端末１に触れた部分の湿度が高い場合に、ユーザが就寝前の状態であると判定されるので、適切にユーザの就寝前の状態を検出することができる。
【００５２】
ステップＳ６において、ユーザ状態情報取得部２の集音マイク２３及び照度センサ２４はそれぞれ、音及び照度の検出機能をＯＦＦの状態からＯＮの状態に変更する。なお、集音マイク２３及び照度センサ２４の消費電力が低い場合には、これらの機能が常時ＯＮとされていることとしてもよい。
【００５３】
続くステップＳ７において、ユーザ状態判定部３の照度判定部３４は、照度が予め設定された所定値以下であるか否かを判定する。照度が所定値以下であると判定された場合には、処理手順はステップＳ１０に進められる。一方、照度が所定値以下であると判定されなかった場合には、処理手順はステップＳ８に進められる。
【００５４】
就寝前の状態にあるユーザは、消灯等することにより、室内の照度を低くする可能性が高い。ステップＳ７の処理によれば、ステップＳ２またはステップＳ４においてユーザが就寝前の状態にある可能性が高いと判定されたことに加えて、さらに、照度が所定値以下となった場合に、ユーザが就寝前の状態であると判定される。従って、ユーザが就寝前の状態にあることを精度良く判定することが可能となる。
【００５５】
ステップＳ８において、ユーザ状態判定部３の音検知部３３は、集音マイク２３により集音された音の音量が予め設定された所定値以下であるか否かを判定することにより、周囲のテレビやラジオ等の音がしていないか否かを判定する。集音された音の音量が所定値以下であると判定された場合には、処理手順はステップＳ１０に進められる。一方、集音された音の音量が所定値以下であると判定されなかった場合には、処理手順はステップＳ９に進められる。
【００５６】
就寝前の状態にあるユーザは、テレビやラジオのスイッチをオフとすることにより、室内において音を発生し得る物の状態を、音を発生しない状態にする可能性が高い。ステップＳ８の処理によれば、ステップＳ２またはステップＳ４においてユーザが就寝前の状態にある可能性が高いと判定されたことに加えて、さらに、室内の音量が所定値以下となった場合に、ユーザが就寝前の状態であると判定される。従って、ユーザが就寝前の状態にあることを精度良く判定することが可能となる。
【００５７】
ステップＳ９において、照度センサ及び集音マイクがＯＮとされてから例えば３０分以内であるか否かが判定される。照度センサ及び集音マイクがＯＮとされてから３０分以内であると判定された場合には処理手順はステップＳ７に戻る。一方、照度センサ及び集音マイクがＯＮとされてから３０分以内であると判定されなかった場合には処理手順はステップＳ１に戻る。ステップＳ９の処理は、照度センサ及び集音マイクがＯＮとされた後の一定時間において、照度及び音量の検出を行うためであり、判定の基準に用いられる時間は３０分に限られない。
【００５８】
ステップＳ１０において、電池状態検知部４の充電状態検知部４１は、携帯通信端末１が充電中の状態にあるか否かを検出する。携帯通信端末１が充電中の状態にあると判定された場合には、処理手順はステップＳ１に戻る。一方、携帯通信端末１が充電中の状態にあると判定されなかった場合には、処理手順はステップＳ１１に進められる。
【００５９】
ステップＳ１１において、電池状態検知部４の電池残量検知部４２は、携帯通信端末１の電源の電力残量を検知し、電力残量が予め設定された所定値以下であるか否かを判定する。ここで、電力残量の判定のための所定値は、例えば８０パーセントとすることができる。電力残量が所定値以下であると判定された場合には、処理手順はステップＳ１２に進められる。一方、電力残量が所定値以下であると判定されなかった場合には、処理手順はステップＳ１に戻る。
【００６０】
ステップＳ１２において、出力制御部５は、ユーザに対して充電操作を促すための通知を例えばダイアログ表示により実施する。こうして、本実施形態の処理を終了する。
【００６１】
以上説明した本実施形態の携帯通信端末１では、就寝前である可能性が高いとされる事象がユーザ状態情報取得部２により検出され、検出された事象に基づき、ユーザ状態判定部３によりユーザが就寝前の状態であるか否かが判定される。これにより、充電の実施に適切なタイミングであるか否かが判定されることとなる。そして、ユーザが就寝前であると判定された場合において、電源の電力残量が所定値以下である場合に、ユーザに対して充電操作を促すための通知が実施されるので、適切なタイミングでユーザに充電を実施させることが可能となる。携帯通信端末１の充電を行うタイミングとしては、当該携帯通信端末１を利用していない就寝中が適切である。
【００６２】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００６３】
１…携帯通信端末、２…ユーザ状態情報取得部、３…ユーザ状態判定部、４…電池状態検知部、５…出力制御部、６…出力部、２０…メール作成部、２１…通話用マイク、２２…湿度センサ、２３…集音マイク、２４…照度センサ、３０…メール解析部、３１…通話解析部、３２…湿度検知部、３３…音検知部、３４…照度判定部、３５…就寝前ワード記憶部、４１…充電状態検知部、４２…電池残量検知部、６０…ディスプレイ部、６１…スピーカ部、６２…ＬＥＤ部、６３…バイブレーション部。
【図１】
2011211601.tif 000003
【図２】
2011211601.tif 000004
【図３】
2011211601.tif 000005
【図４】
2011211601.tif 000006